【手続補正書】
【提出日】平成23年10月3日(2011.10.3)
【手続補正１】
【補正対象書類名】特許請求の範囲
【補正対象項目名】全文
【補正方法】変更
【補正の内容】
【特許請求の範囲】
【請求項１】
試料中の分析対象物の濃度を判定する方法であって、
１０秒以内に少なくとも３つのデューティサイクルを含む入力信号であって、デューティサイクルのそれぞれが励起パルス及び緩和を含む、入力信号を試料に与えることと、
少なくとも１つのデューティサイクルの励起パルスの付与の３００ミリ秒以内に、測定可能種に反応する出力信号を測定することと、
測定された出力信号に応じて、試料中の分析対象物の濃度を判定することと、
を含む方法。
【請求項２】
入力信号が、７秒以内に少なくとも４つのデューティサイクルを含む、請求項１記載の方法。
【請求項３】
０．１〜２秒の励起のパルス幅を含む、請求項１又は２記載の方法。
【請求項４】
０．３〜０．８秒の励起のパルス幅を含む、請求項１又は２記載の方法。
【請求項５】
少なくとも１つのデューティサイクルのパルス間隔が、３秒未満である、請求項１〜４のいずれか一項記載の方法。
【請求項６】
励起のパルス幅が０．３〜０．５秒であり、パルス間隔が０．７〜２秒である、請求項１又は２記載の方法。
【請求項７】
出力信号が、デューティサイクルのうち１つの励起パルスの付与の１７５ミリ秒未満以内に測定される、請求項１〜６のいずれか一項記載の方法。
【請求項８】
出力信号が、デューティサイクルのうち１つの励起パルスの付与の６０〜１５０ミリ秒以内に測定される、請求項１〜６のいずれか一項記載の方法。
【請求項９】
出力信号が測定されるデューティサイクルが、試料への初期励起パルスの付与の１１秒以下以内に適用される、請求項１〜８のいずれか一項記載の方法。
【請求項１０】
出力信号が測定されるデューティサイクルが、試料への初期励起パルスの付与の７秒以下以内に適用される、請求項１〜９のいずれか一項記載の方法。
【請求項１１】
センサ片に試料を導入すること、及び、試料中の分析対象物からセンサ片内のメディエータに少なくとも１つの電子を移動することをさらに含み、入力信号が、測定可能種を電気化学的に励起し、測定可能種が、分析対象物、メディエータ及びそれらの組み合わせから構成される群から選択される、請求項１〜１０のいずれか一項記載の方法。
【請求項１２】
励起が、実質的に一定の電圧を有する、請求項１〜１１のいずれか一項記載の方法。
【請求項１３】
入力信号が、矩形波の励起を含む、請求項１〜１２のいずれか一項記載の方法。
【請求項１４】
入力信号の付与中に、時間の関数として少なくとも１つの電流を記録することをさらに含む、請求項１〜１３のいずれか一項記載の方法。
【請求項１５】
判定が、出力信号の少なくとも１つの電流に、少なくとも１つのデータ処理を施すことを含む、請求項１〜１４のいずれか一項記載の方法。
【請求項１６】
拡散障壁層の内側に測定可能種を励起させることと、
拡散障壁層の外に測定可能種を実質的に励起から除外することと、
をさらに含む、請求項１〜１５のいずれか一項記載の方法。
【請求項１７】
緩和が開回路に対応する、請求項１〜１６のいずれか一項記載の方法。
【請求項１８】
緩和が少なくとも０．５秒である、請求項１〜１７のいずれか一項記載の方法。
【請求項１９】
出力信号が過渡的な減衰を含み、分析対象物濃度が過渡的な減衰から判定される、請求項１〜１８のいずれか一項記載の方法。
【請求項２０】
試料が、生体液、生体液の派生物、及びそれらの組み合わせからなる群から選択される、請求項１〜１９のいずれか一項記載の方法。
【請求項２１】
測定が、携帯型測定装置によって行われる、請求項１〜２０のいずれか一項記載の方法。
【請求項２２】
試料中の分析対象物の濃度を判定するためのハンディ型測定装置であって、
装置がセンサ片を受けるように適合され、
装置が、
接点と、
少なくとも１つのディスプレイと、
接点とディスプレイとの間の電気的通信を確立する電気回路とを含み、
電気回路が、電気チャージャと、電気的に通信するプロセッサとを含み、コンピュータ可読ソフトウェアコードを含む記憶媒体と電気的に通信するプロセッサが、コンピュータ可読ソフトウェアコードがプロセッサによって実行されたときに、チャージャに１０秒以内に少なくとも３つのデューティサイクルを含む入力信号を接点間で実施させ、デューティサイクルのそれぞれが励起及び緩和を含み、
プロセッサが、チャージャの励起付与の３００ミリ秒以内に少なくとも２つの接点で、少なくとも１つの電流値を測定するように動作可能であり、
プロセッサが、少なくとも１つの電流値に応じて、生体液中の分析対象物濃度を判定するように動作可能である、装置。
【請求項２３】
装置が携帯型である、請求項２２記載の装置。
【請求項２４】
チャージャが、実質的に一定の電圧で励起を実施するように動作可能である、請求項２２又は２３記載の装置。
【請求項２５】
プロセッサが、減衰の過渡的な部分の間に、少なくとも１つの電流値を測定するように動作可能である、請求項２２〜２４のいずれか一項記載の装置。
【請求項２６】
試料が、生体液、生体液の派生物、及びそれらの組み合わせからなる群から選択される、請求項２２〜２５のいずれか一項記載の装置。
【請求項２７】
試料中の分析対象物濃度を判定するためのバイオセンサシステムであって、
細片によって形成されたレザバに近接した試料インターフェイスを有するセンサ片と、
センサインターフェイスに接続されるプロセッサを有する測定装置であって、センサインターフェイスが試料インターフェイスとの電気的通信を有し、プロセッサが記憶媒体との電気的通信を有する、測定装置とを含み、
プロセッサが、試料インターフェイスへの励起パルスの付与の３００ミリ秒以内に、センサインターフェイスからの試料中の分析対象物濃度に応じて、出力信号値を判定し、
励起パルスが、１０秒以内の少なくとも３つのデューティサイクルを含む入力信号の一部であり、デューティサイクルのそれぞれが励起及び緩和を含む、システム。
【請求項２８】
測定装置が携帯型である、請求項２７記載のシステム。
【請求項２９】
励起パルスが、実質的に一定の電圧を有する、請求項２７又は２８記載のシステム。
【請求項３０】
試料中の分析対象物の濃度に応じた出力信号値が、減衰の過渡的な部分の間に測定される、請求項２７〜２９のいずれか一項記載のシステム。
【請求項３１】
試料が、生体液、生体液の派生物、及びそれらの組み合わせからなる群から選択される、請求項２７〜３０のいずれか一項記載のシステム。
【請求項３２】
試料中の分析対象物の濃度の判定におけるバイアスを低減させる方法であって、
試料に入力信号を与えることであって、入力信号が１０秒以内に少なくとも３つのデューティサイクルを含み、デューティサイクルのそれぞれが励起パルス及び緩和を含む、ことと、
少なくとも１つのデューティサイクルの励起パルスの付与の３００ミリ秒以内に、測定可能種に応じた出力信号を測定することと、
測定された出力信号に応じて、試料中の分析対象物の濃度を判定することと、
を含む方法。
【請求項３３】
バイアスの少なくとも一部が、ヘマトクリット効果に起因する、請求項３２記載の方法。
【請求項３４】
試料が、生体液、生体液の派生物、及びそれらの組み合わせからなる群から選択される、請求項３２又は３３記載の方法。
【請求項３５】
出力信号が過渡的な減衰を含み、分析対象物濃度が過渡的な減衰から判定される、請求項３２〜３４のいずれか一項記載の方法。